(57)【特許請求の範囲】
【請求項１】
印刷デバイスを用いて印刷媒体上に画像を形成し印刷物を生産するためのジョブの実行単位である印刷ジョブ毎にデバイスリンクプロファイルを設定するプロファイル設定装置であって、
実行対象の印刷ジョブに対して、前記印刷デバイス、前記印刷媒体、再現対象の色空間特性である入力色空間特性、及び前記印刷物の色空間特性である出力色空間特性の種目の組み合わせを指定する印刷条件指定部と、
前記デバイスリンクプロファイルに関するデータベースを参照し、前記印刷条件指定部により指定された前記組み合わせに応じた前記デバイスリンクプロファイルを検索するプロファイル検索部と、
前記プロファイル検索部による検索結果に基づき選択されたデバイスリンクプロファイルを、前記実行対象の印刷ジョブに対して設定するプロファイル設定部と
を有することを特徴とするプロファイル設定装置。
【請求項２】
請求項１記載のプロファイル設定装置において、
前記プロファイル検索部は、前記組み合わせに応じたデバイスリンクプロファイルが存在しない場合、予め決定されたデフォルトのデバイスリンクプロファイルを選択することを特徴とするプロファイル設定装置。
【請求項３】
請求項１又は２に記載のプロファイル設定装置において、
前記データベースでは、前記入力色空間特性、前記出力色空間特性及び前記デバイスリンクプロファイルの種目の集合である色変換設定をデータセットとして定義することを特徴とするプロファイル設定装置。
【請求項４】
請求項３記載のプロファイル設定装置において、
前記データベースでは、前記印刷媒体の少なくとも１つの種目及び前記色変換設定の少なくとも１つの種目の集合であるメディアプロファイルをデータセットとして定義することを特徴とするプロファイル設定装置。
【請求項５】
請求項４記載のプロファイル設定装置において、
前記データベースでは、前記印刷デバイスの１つの種目及び前記メディアプロファイルの少なくとも１つの種目の集合をデータセットとして定義することを特徴とするプロファイル設定装置。
【請求項６】
印刷デバイスを用いて印刷媒体上に画像を形成し印刷物を生産するためのジョブの実行単位である印刷ジョブ毎にデバイスリンクプロファイルを設定する装置を用いたプロファイル設定方法であって、
実行対象の印刷ジョブに対して、前記印刷デバイス、前記印刷媒体、再現対象の色空間特性である入力色空間特性、及び前記印刷物の色空間特性である出力色空間特性の種目の組み合わせを指定するステップと、
前記デバイスリンクプロファイルに関するデータベースを参照し、指定された前記組み合わせに応じた前記デバイスリンクプロファイルを検索するステップと、
検索して得た検索結果に基づき選択された前記組み合わせに応じたデバイスリンクプロファイルを、前記実行対象の印刷ジョブに対して設定するステップと
を備えることを特徴とするプロファイル設定方法。
【請求項７】
印刷デバイスを用いて印刷媒体上に画像を形成し印刷物を生産するためのジョブの実行単位である印刷ジョブ毎にデバイスリンクプロファイルを設定するためのプログラムであって、
コンピュータを、
実行対象の印刷ジョブに対して、前記印刷デバイス、前記印刷媒体、再現対象の色空間特性である入力色空間特性、及び前記印刷物の色空間特性である出力色空間特性の種目の組み合わせを指定する印刷条件指定部、
前記デバイスリンクプロファイルに関するデータベースを参照し、前記印刷条件指定部により指定された前記組み合わせに応じた前記デバイスリンクプロファイルを検索するプロファイル検索部、
前記プロファイル検索部による検索結果に基づき選択されたデバイスリンクプロファイルを、前記実行対象の印刷ジョブに対して設定するプロファイル設定部
として機能させることを特徴とするプログラム。
【請求項８】
請求項１〜５のいずれか１項に記載のプロファイル設定装置と、
前記データベースが構築され、前記プロファイル設定装置と相互に通信可能であるサーバ装置と
を有することを特徴とするプロファイル管理システム。
【発明の詳細な説明】
【技術分野】
【０００１】
本発明は、印刷デバイスを用いて印刷媒体上に画像を形成し印刷物を生産するためのジョブの実行単位である印刷ジョブ毎にデバイスリンクプロファイルを設定するプロファイル設定装置、方法、プログラム及びプロファイル管理システムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。例えば、ＩＣＣ（International Color Consortium）プロファイル、特にデバイスリンクプロファイル（以下、ＤＬＰともいう）を用いた色変換処理に関する技術が種々提案されている。
【０００３】
特許文献１では、複数のＤＬＰをまとめて作成する際、少なくとも２種類以上の作成条件を設定する場合のユーザ・インターフェース技術が提案されている。具体的には、共通する項目について一括して設定することで、ＤＬＰを作成するための設定を容易に行うことができる旨が記載されている。
【０００４】
特許文献２では、出力プロファイルの更新の有無を検知し、更新後の出力プロファイルを用いてＤＬＰを自動的に作成・更新する装置及び方法が提案されている。
【先行技術文献】
【特許文献】
【０００５】
【特許文献１】特開２０１１−０５５３７９号公報
【特許文献２】特開２０１２−０１５６７３号公報
【発明の概要】
【発明が解決しようとする課題】
【０００６】
特に最近、品質管理の一環として、国内外の標準規格（例えば、ＦＯＧＲＡ）に沿った印刷のシステム運用が図られる事例が多くなっている。そして、各標準規格に適したＤＬＰを作成することが望ましく、管理対象のＤＬＰの数がそれだけ増加することが想定される。
【０００７】
ところが、印刷ジョブを実行する度に、予め記憶された多数のＤＬＰの中から適切なＤＬＰを選択・設定する必要があるため、作業者は、この設定作業に手間が掛かって煩に堪えなかった。また、ＤＬＰの選択肢が多数存在する場合、作業者の人為的なミスにより不適切な設定がなされるおそれもあった。
【０００８】
さらに、特許文献１及び２で提案された方法等によれば、ＤＬＰを作成する際の設定作業に関して着目するに留まっており、印刷ジョブに適したＤＬＰを選択する際の、設定作業の効率化に関して何ら記載がない。
【０００９】
本発明は上記した問題を解決するためになされたもので、印刷ジョブに適したデバイスリンクプロファイルを簡便に且つ確実に設定可能なプロファイル設定装置、方法、プログラム、及びプロファイル管理システムを提供することを目的とする。
【課題を解決するための手段】
【００１０】
本発明に係るプロファイル設定装置は、印刷デバイスを用いて印刷媒体上に画像を形成し印刷物を生産するためのジョブの実行単位である印刷ジョブ毎にデバイスリンクプロファイルを設定する装置であって、実行対象の印刷ジョブに対して、前記印刷デバイス、前記印刷媒体、再現対象の色空間特性である入力色空間特性、及び前記印刷物の色空間特性である出力色空間特性の種目の組み合わせを指定する印刷条件指定部と、デバイスリンクプロファイルに関するデータベースを参照し、前記印刷条件指定部により指定された前記種目の組み合わせに応じたデバイスリンクプロファイルを、前記実行対象の印刷ジョブに対して設定するプロファイル設定部とを有する。
【００１１】
このように、実行対象の印刷ジョブに対して、印刷デバイス、印刷媒体、再現対象の色空間特性である入力色空間特性、及び印刷物の色空間特性である出力色空間特性の種目の組み合わせを指定する印刷条件指定部と、指定された前記種目の組み合わせに応じたデバイスリンクプロファイルを前記実行対象の印刷ジョブに対して設定するプロファイル設定部とを設けたので、デバイスリンクプロファイルの種類を特に意識することなく選択可能であり、印刷ジョブに適したデバイスリンクプロファイルを簡便に且つ確実に設定できる。
【００１２】
本発明に係るプロファイル設定方法は、印刷デバイスを用いて印刷媒体上に画像を形成し印刷物を生産するためのジョブの実行単位である印刷ジョブ毎にデバイスリンクプロファイルを設定する装置を用いた方法であって、実行対象の印刷ジョブに対して、前記印刷デバイス、前記印刷媒体、再現対象の色空間特性である入力色空間特性、及び前記印刷物の色空間特性である出力色空間特性の種目の組み合わせを指定するステップと、デバイスリンクプロファイルに関するデータベースを参照し、指定された前記種目の組み合わせに応じたデバイスリンクプロファイルを、前記実行対象の印刷ジョブに対して設定するステップとを備える。
【００１３】
本発明に係るプログラムは、印刷デバイスを用いて印刷媒体上に画像を形成し印刷物を生産するためのジョブの実行単位である印刷ジョブ毎にデバイスリンクプロファイルを設定するためのプログラムであって、コンピュータを、実行対象の印刷ジョブに対して、前記印刷デバイス、前記印刷媒体、再現対象の色空間特性である入力色空間特性、及び前記印刷物の色空間特性である出力色空間特性の種目の組み合わせを指定する印刷条件指定部、デバイスリンクプロファイルに関するデータベースを参照し、前記印刷条件指定部により指定された前記種目の組み合わせに応じたデバイスリンクプロファイルを、前記実行対象の印刷ジョブに対して設定するプロファイル設定部として機能させる。
【００１４】
本発明に係るプロファイル管理システムは、上記したプロファイル設定装置と、デバイスリンクプロファイルに関するデータベースが構築され、前記プロファイル設定装置と相互に通信可能であるサーバ装置とを有する。
【発明の効果】
【００１５】
本発明に係るプロファイル設定装置、方法、プログラム及びプロファイル管理システムによれば、実行対象の印刷ジョブに対して、印刷デバイス、印刷媒体、再現対象の色空間特性である入力色空間特性、及び印刷物の色空間特性である出力色空間特性の種目の組み合わせを指定し、指定された前記種目の組み合わせに応じたデバイスリンクプロファイルを前記実行対象の印刷ジョブに対して設定するようにしたので、デバイスリンクプロファイルの種類を特に意識することなく選択可能であり、印刷ジョブに適したデバイスリンクプロファイルを簡便に且つ確実に設定できる。
【図面の簡単な説明】
【００１６】
【図１】本実施の形態に係るプロファイル設定装置としてのＲＩＰ装置を組み込んだ印刷物生産システムの概略構成図である。
【図２】図１に示すＲＩＰ装置の電気的なブロック図である。
【図３】図１及び図２に示すＲＩＰ装置の動作説明に供されるフローチャートである。
【図４】第１の編集画面の一例を示す画像図である。
【図５】第２の編集画面の一例を示す画像図である。
【図６】メディアプロファイルのデータ構造を表す概略説明図である。
【図７】設定画面の一例を示す画像図である。
【発明を実施するための形態】
【００１７】
以下、本発明に係るプロファイル設定方法について、これを実施するプロファイル設定装置、プログラム及び印刷物生産システムとの関係において好適な実施形態を挙げ、添付の図面を参照して説明する。
【００１８】
図１は、本実施の形態に係るプロファイル設定装置としてのＲＩＰ装置２０を組み込んだ印刷物生産システム１０の概略構成図である。
【００１９】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ端末１８と、ＤＴＰ端末１８により作成された校正データ（又は製版データ）に基づいてラスタライズ処理や色変換処理等の各画像処理を実行するＲＩＰ装置２０（プロファイル設定装置）と、ＲＩＰ装置２０から送信された処理済みの校正データに基づいてプルーフ２２を印刷可能である校正機２４（印刷デバイス）と、ＲＩＰ装置２０から送信された製版データに基づいて刷版２６を作製するプレートセッタ２８と、刷版２６を装着して印刷物３０を印刷可能であるオフセット印刷機３２（印刷デバイス）とがそれぞれ設けられている。
【００２０】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３４を介して、ＤＴＰ端末１８、ＲＩＰ装置２０及びプレートセッタ２８に通信可能に接続されている。
【００２１】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。ＩＣＣでは、入力プロファイル、出力プロファイル、カラースペースプロファイル、デバイスリンクプロファイル（以下、「ＤＬＰ」ともいう）等の各種プロファイルが定義されている。
【００２２】
ＤＴＰ端末１８は、文字、図形、絵柄や写真等から構成されるコンテンツデータに対してプリフライト処理を施した後、ページ単位の編集データを作成する。また、ＤＴＰ端末１８は、ジョブチケットのタグ情報を参照しながら、指定された綴じ方法や紙折り方法に応じた面付け処理を実行してもよい。
【００２３】
ＲＩＰ装置２０は、少なくとも１種の印刷機に対する印刷処理サーバとして機能するコンピュータである。図１例では、ＲＩＰ装置２０は、校正機２４と、プレートセッタ２８とに通信可能に接続されている。この場合、ＲＩＰ装置２０は、ページ記述言語で記述されたＰＤＬ形式のデータ（以下、ページ記述データともいう）を各出力デバイスに適した印刷用データに変換し、該印刷用データを校正機２４又はプレートセッタ２８に供給する。
【００２４】
校正機２４は、ＲＩＰ装置２０から供給された印刷用データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００２５】
オフセット印刷機３２は、刷版２６及び図示しない中間転写体を介して、インキを印刷媒体３５（メディア）上に付着させることで、カラー画像又はモノクロ画像が形成された印刷物３０を出力する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。
【００２６】
図２は、図１に示すＲＩＰ装置２０の電気的なブロック図である。ＲＩＰ装置２０は、制御部３６と、通信Ｉ／Ｆ３８と、表示制御部４０と、表示部４２と、入力部４４と、印刷Ｉ／Ｆ４６と、メモリ４８（記憶媒体）とを備える。
【００２７】
通信Ｉ／Ｆ３８は、外部装置からの電気信号を送受信するインターフェースである。例えば、サーバ装置１６（図１参照）内で管理・保存された校正データ、製版データ、ＩＣＣプロファイル等の各種情報を取得可能である。
【００２８】
表示制御部４０は、制御部３６の制御に従って、表示部４２を駆動制御する制御回路である。表示制御部４０が、図示しないＩ／Ｆを介して、表示制御信号を表示部４２に出力することで、表示部４２が駆動する。これにより、表示部４２は、ウィンドウＷ１（図４参照）、Ｗ２（図５参照）、Ｗ３（図７参照）を含む各種画像を表示することができる。
【００２９】
印刷Ｉ／Ｆ４６は、印刷用データとしての電気信号を送信するインターフェースである。これにより、校正機２４は、所望のプルーフ２２を印刷することができる。
【００３０】
メモリ４８は、制御部３６が各構成要素を制御するのに必要なプログラム及びデータ等を記憶している。メモリ４８は、不揮発性のメモリ、ハードディスク等の記憶媒体であってよい。
【００３１】
制御部３６は、ＣＰＵ（Central Processing Unit）等のプロセッサによって構成されている。制御部３６は、メモリ４８に格納されたプログラムを読み出し実行することで、プロファイル管理部５０、表示用データ作成部５２、及び印刷用データ作成部５４の各機能を実現可能である。
【００３２】
プロファイル管理部５０は、ＩＣＣプロファイル、特にＤＬＰに関する情報を管理する。具体的には、プロファイル管理部５０は、後述するメディアプロファイルを作成するメディアプロファイル作成部５６と、印刷ジョブに適した印刷条件を指定する印刷条件指定部５８と、所定の検索範囲の中からＤＬＰを検索するプロファイル検索部６０と、印刷ジョブに適用するＤＬＰを設定するプロファイル設定部６２とを備える。
【００３３】
ここで、印刷ジョブに適した印刷条件として、オフセット印刷機３２等の印刷デバイスの種目（以下、「印刷デバイス種目」という）、印刷媒体３５の種目（以下、メディア種目という）、再現対象の色空間特性の種目（以下、「入力色空間特性種目」という）、及び印刷物３０の色空間特性の種目（以下、「出力色空間特性種目」という）が挙げられる。また、入力色空間特性種目及び出力色空間特性種目を総称して「色空間特性種目」という場合がある。
【００３４】
表示用データ作成部５２は、プロファイルの編集に供される編集画面８０（図４参照）、１００（図５参照）、又はプロファイルの設定に供される設定画面１５０（図７参照）を作成する。
【００３５】
印刷用データ作成部５４は、ページ記述データに対して所望の画像処理を施すことで、プルーフ２２（又は印刷物３０）を表す印刷用データを作成する。具体的には、印刷用データ作成部５４は、印刷の際に使用されるＤＬＰを取得するプロファイル取得部６４と、面付け済みのページ記述データに対してラスタライズ処理を実行するラスタライズ処理部６６とを備える。このラスタライズ処理には、ＰＤＬ形式からラスタ形式に変換するデータ形式変換処理と、ＩＣＣプロファイル（ＤＬＰ）を用いたカラーマッチング処理とが含まれる。
【００３６】
入力部４４は、マウス、トラックボール、キーボード等の種々の入力デバイスで構成される。表示部４２による表示機能及び入力部４４による入力機能を組み合わせることでユーザ・インターフェースを実現する。この場合、入力部４４は、印刷デバイス種目、メディア種目、色空間特性種目を入力する種目入力部６８と、印刷ジョブに適用しようとするＤＬＰを設定・指示する設定指示部７０として機能する。
【００３７】
本実施の形態に係るプロファイル設定装置としてのＲＩＰ装置２０は、以上のように構成される。続いて、ＲＩＰ装置２０の動作について図３のフローチャートを参照しながら詳細に説明する。
【００３８】
ステップＳ１において、プロファイル管理部５０は、印刷デバイス種目及びメディア種目の組み合わせを編集する。編集に先立ち、ＲＩＰ装置２０は、プロファイルの編集に供される編集画面８０の表示を行う。編集を開始する旨の指示に応じて、表示用データ作成部５２は、編集画面８０の表示用データを作成した後、該表示用データを表示制御部４０に供給する。そして、表示制御部４０は、ウィンドウＷ１（編集画面８０を含む）を表示部４２に表示させる。
【００３９】
図４に示すように、第１の編集画面８０上には、ボタン群８２、名前設定欄８４、メディア種目設定欄８６、及び色変換設定欄８８がそれぞれ配置されている。ここで、メディア種目設定欄８６は、メディア種目を入力する種目入力部６８としての機能を担う。
【００４０】
名前設定欄８４は、テキストボックスで構成されている。入力部４４（例えばキーボード）を介した所定の操作により、メディアプロファイルの名前を入力可能に設けられている。ここで、メディアプロファイルは、印刷媒体３５に関係する印刷条件を一括して設定・管理するためのデータセットを意味し、このデータ構造については後述する。
【００４１】
メディア種目設定欄８６は、このメディアプロファイルに属するメディア種目を一覧表示する欄９０と、メディア種目の追加・編集・削除を指示するためのボタン群９２とを備える。欄９０には、メディア種目に関する各種情報、具体的には、印刷媒体３５の名前、型（ロール・枚葉等）、坪量（単位はｇ／ｍ２）、塗工（グロス・マット等）、幅、高さ、及び厚さ（単位はいずれもｍｍ）が一覧表示されている。
【００４２】
色変換設定欄８８は、このメディアプロファイルに属する色空間特性種目を一覧表示する欄９４と、色変換設定の追加・編集・削除等を指示するためのボタン群９６とを備える。欄９４には、色変換設定に関する各種情報、具体的には、入力色空間特性種目、出力色空間特性種目、及び色変換設定（詳細には、ＤＬＰの名前）が一覧表示されている。
【００４３】
ステップＳ２において、プロファイル管理部５０は、入力色空間特性及び出力色空間特性の種目の組み合わせを編集する。ボタン群９６（特に、［追加］又は［編集］ボタン）のクリック操作に応じて、表示用データ作成部５２は、編集画面１００の表示用データを作成した後、該表示用データを表示制御部４０に供給する。そして、表示制御部４０は、ウィンドウＷ２（編集画面１００を含む）を表示部４２に表示させる。
【００４４】
図５に示すように、第２の編集画面１００上には、入力特性設定欄１０２、出力特性設定欄１０４、ＤＬＰ設定欄１０６、及びボタン群１０８がそれぞれ配置されている。ここで、入力特性設定欄１０２及び出力特性設定欄１０４は、色空間特性種目をそれぞれ入力する種目入力部６８としての機能を担う。
【００４５】
入力特性設定欄１０２は、コンボボックスで構成されている。入力部４４（例えばキーボード）を介した所定の操作により、入力色空間特性種目を入力可能に設けられている。入力色空間特性として、例えば、ＦＯＧＲＡ（Fogra Graphic Technology Research Association）、ＳＷＯＰ（Specifications Web Offset Printing）、ＧＲＡＣｏＬ（General Requirements for Applications in Commercial Offset Lithography）、ＪａｐａｎＣｏｌｏｒ、ＪＰＭＡカラー（雑誌広告基準）等が挙げられる。
【００４６】
出力特性設定欄１０４は、コンボボックスで構成されている。入力部４４（例えばキーボード）を介した所定の操作により、出力色空間特性種目を入力可能に設けられている。出力色空間特性として、上記したＦＯＧＲＡ等の標準的な色空間特性の他、実際に印刷されたカラーチャートを測色して得たプロファイル（印刷デバイス固有の色空間特性）を入力可能に設けられてもよい。
【００４７】
ＤＬＰ設定欄１０６は、選択対象の候補であるＤＬＰの名称を一覧表示する欄１１０と、ＤＬＰのインポート・作成・最適化を指示するためのボタン群１１２とを備える。
【００４８】
ステップＳ３において、メディアプロファイル作成部５６は、ステップＳ１及びＳ２で編集された各種目の組み合わせからメディアプロファイル１２０を作成する。具体的には、ボタン群１０８（図５参照；特に［ＯＫ］ボタン）、及び、ボタン群８２（図４参照；特に［保存］ボタン）のクリック操作に応じて、メディアプロファイル作成部５６は、入力部４４を介して各種目を取得した後、「Ｍｅｄｉａ  Ｐｒｏｆｉｌｅ」（図４の名前設定欄８４参照）なる名前のメディアプロファイル１２０を作成する。
【００４９】
図６は、メディアプロファイル１２０のデータ構造を表す概略説明図である。本図に示すように、１つの印刷デバイス種目データ１２２に対して、１つ又は複数のメディアプロファイル（本図例では、２つのメディアプロファイル１２０、１２１）が対応付けられる。なお、メディアプロファイル１２０、１２１のデータ構造は基本的には同一であるが、説明の便宜のためメディアプロファイル１２１の記載を省略している。
【００５０】
メディアプロファイル１２０は、欄９０（図４参照）の内容に対応する１つ又は複数のメディア種目データ１２４と、欄９４（同図参照）の内容に対応する１つ又は複数の色変換設定データ１２６とを備えている。各色変換設定データ１２６は、入力特性設定欄１０２（図５参照）の内容に対応する入力色空間特性種目データ１２８、出力特性設定欄１０４（同図参照）の内容に対応する出力色空間特性種目データ１３０、欄１１０（同図参照）の内容に対応するＤＬＰ種目データ１３２からそれぞれ構成される。
【００５１】
ここで、ＤＬＰ種目データ１３２は、ＲＩＰ装置２０（図１参照）、又は外部装置｛例えば、サーバ装置１６（同図参照）｝の内部で構築されたデータベース（ＤＬＰリスト１３４）の中から選択されたデータである。換言すれば、各ＤＬＰは、印刷デバイス種目、メディア種目、入力色空間特性種目、及び出力色空間特性種目の組み合わせにそれぞれ対応付けられる。本実施の形態では、ＤＬＰリスト１３４は、メディアプロファイル１２０を介して印刷条件の各種目に紐付けられているが、ＤＬＰの管理形態はこれに限られない。
【００５２】
ステップＳ４において、制御部３６は、印刷ジョブの実行の指示があったか否かを判別する。指示がなかったと判別された場合（ステップＳ４：ＮＯ）、ステップＳ４に留まる。一方、指示があったと判別された場合（ステップＳ４：ＹＥＳ）、次のステップ（Ｓ５）に進む。
【００５３】
ステップＳ５において、印刷条件指定部５８は、ステップＳ４で指示された印刷ジョブに関する所定の印刷条件をそれぞれ指定する。指定に先立ち、ＲＩＰ装置２０は、プロファイルの設定に供される設定画面１５０の表示を行う。設定を開始する旨の指示に応じて、表示用データ作成部５２は、設定画面１５０の表示用データを作成した後、該表示用データを表示制御部４０に供給する。そして、表示制御部４０は、ウィンドウＷ３（設定画面１５０を含む）を表示部４２に表示させる。
【００５４】
図７に示すように、設定画面１５０上には、５つの指定欄１５２、１５３、１５４、１５５、１５６、１つの表示欄１５８、及びボタン群１６０がそれぞれ配置されている。
【００５５】
各指定欄１５２〜１５６は、コンボボックスでそれぞれ構成されている。指定欄１５２〜１５６は、上から順に、印刷デバイス種目、メディア種目、入力色空間特性種目、出力色空間特性種目、及びメディアプロファイルの名前をそれぞれ入力可能に設けられている。
【００５６】
ボタン群１６０は、３つのボタン、具体的には［ＤＬＰの最適化］ボタン１６２、［ＯＫ］ボタン１６３、及び［キャンセル］ボタン１６４で構成される。ここで、［ＯＫ］ボタン１６３は、実行対象の印刷ジョブに適用しようとするＤＬＰを設定・指示する設定指示部７０としての機能を担う。
【００５７】
ステップＳ６において、プロファイル検索部６０は、ステップＳ５で指定された印刷条件に該当するＤＬＰが存在するか否かを判別する。具体的には、プロファイル検索部６０は、指定欄１５２〜１５６に対する指定操作に追従して、ステップＳ３で作成されたメディアプロファイル１２０の内容について検索を開始する。ここで、メディアプロファイル１２０は、種目の組み合わせの検索範囲を特定するデータセットとして機能する。
【００５８】
種目の組み合わせが存在すると判別された場合（ステップＳ６：ＹＥＳ）、プロファイル検索部６０は、種目の組み合わせに応じたＤＬＰを選択する（ステップＳ７）。一方、種目の組み合わせが存在しないと判別された場合（ステップＳ６：ＮＯ）、プロファイル検索部６０は、予め決定されたデフォルトＤＬＰを選択する（ステップＳ８）。
【００５９】
なお、本実施の形態（図４、図５、及び図７例）では、メディアプロファイル「Ｍｅｄｉａ  Ｐｒｏｆｉｌｅ」の中に、デバイス種目が「Ｄｅｖｉｃｅ−Ａ」、メディア種目が「Ｍｅｄｉａ−４」、入力色空間特性が「Ｃｏａｔｅｄ  ＦＯＧＲＡ  ３９」、且つ、出力色空間特性が「Ｄｅｖｉｃｅ−Ａ−ｇｌｏｓｓｙ」である種目の組み合わせが存在する。そうすると、この組み合わせに応じたＤＬＰの名称「ＤＬＰ−１」が表示欄１５８に表示される。
【００６０】
ところで、作業者は、図５のボタン群１１２（特に［最適化］ボタン）、図７の［ＤＬＰの最適化］ボタン１６２をクリックすることで、現時点で保存されているＤＬＰによる色再現評価、あるいはＤＬＰの更新を行うことができる。
【００６１】
ステップＳ９において、プロファイル設定部６２は、ステップＳ４で実行が指示された印刷ジョブに対し、データベース（図６のＤＬＰリスト１３４、メディアプロファイル１２０）を参照し選択された１つのＤＬＰを設定する。［ＯＫ］ボタン１６３のクリック操作に応じて、プロファイル設定部６２は、当該印刷ジョブに対して「ＤＬＰ−１」を設定する。
【００６２】
ステップＳ１０において、校正・印刷工程を実行する。プロファイル取得部６４は、ステップＳ９で設定されたＤＬＰ（本実施の形態では「ＤＬＰ−１」）を取得する。そして、ラスタライズ処理部６６は、プロファイル取得部６４が取得したＤＬＰを含む各種処理条件に基づいて、ページ記述データに対してラスタライズ処理を実行することで、印刷に供される印刷用データを得る。そして、ＲＩＰ装置２０は、作成された印刷用データを校正機２４（又はプレートセッタ２８）側に供給する。これにより、校正機２４（又はオフセット印刷機３２）は、プルーフ２２（又は印刷物３０）を形成可能である。
【００６３】
以上のように、実行対象の印刷ジョブに対して、印刷デバイス（校正機２４、オフセット印刷機３２）、印刷媒体３５、再現対象の色空間特性である入力色空間特性、及び印刷物（プルーフ２２、印刷物３０）の色空間特性である出力色空間特性の種目の組み合わせを指定する印刷条件指定部５８と、指定された種目の組み合わせに応じたＤＬＰを実行対象の印刷ジョブに対して設定するプロファイル設定部６２とを設けたので、ＤＬＰの種類を特に意識することなく選択可能であり、印刷ジョブに適したＤＬＰを簡便に且つ確実に設定できる。
【００６４】
なお、この発明は、上述した実施形態に限定されるものではなく、この発明の主旨を逸脱しない範囲で自由に変更できることは勿論である。
【符号の説明】
【００６５】
１０…印刷物生産システム                  ２０…ＲＩＰ装置
２２…プルーフ                            ２４…校正機
３０…印刷物                              ３２…オフセット印刷機
３５…印刷媒体                            ３６…制御部
４２…表示部                              ４８…メモリ
５６…メディアプロファイル作成部          ５８…印刷条件指定部
６０…プロファイル検索部                  ６２…プロファイル設定部
６８…種目入力部                          ７０…設定指示部
８０、１００…編集画面                    １２０、１２１…メディアプロファイル
１２２…印刷デバイス種目データ            １２４…メディア種目データ
１２６…色変換設定データ                  １２８…入力色空間特性種目データ
１３０…出力色空間特性種目データ          １３２…ＤＬＰ種目データ
１３４…ＤＬＰリスト                      １５０…設定画面
Ｗ１、Ｗ２、Ｗ３…ウィンドウ
【図１】
0005650155.tif 000002
【図２】
0005650155.tif 000003
【図３】
0005650155.tif 000004
【図４】
0005650155.tif 000005
【図５】
0005650155.tif 000006
【図６】
0005650155.tif 000007
【図７】
0005650155.tif 000008